(57)【要約】  【課題】  「交差点ノンストップ走行制御システム」の特長を生かしつつ同システムにおける最大の課題である渋滞発生に対しての効果的対策を実現する。  【解決手段】  「交差点ノンストップ走行制御システム」適用中の地点Ｐから交差点Ａ間において、地点Ｐ付近に車両感知器を設けて地点Ｐ通過車両数を計測し、その結果から前記区間内での渋滞発生を予測してその予測された渋滞の程度に対応した時間幅で交差点Ａの青信号滅灯時刻を延長する。また交差点Ａ手前に車両感知器を設けて信号待ち車両数を計測し計測された車両数に対応した時間幅で交差点Ａの青信号点灯時刻を早める。  【選択図】図４
2007140617.tif 000002
【特許請求の範囲】
【請求項１】
地点Ｐからその下流にある交差点Ａに向かう車両に対して「交差点ノンストップ走行制御」を行うとともに通過車両数を計測し、「交差点ノンストップ走行制御」を行う交差点Ａの信号１周期に相当する時間幅毎の計測結果をもって地点Ｐ−交差点Ａ間の渋滞発生を予測し、渋滞発生を予測したときはその予測した渋滞の程度によって直後の交差点Ａ青信号の滅灯時刻を遅らせて青信号時間幅を延長し渋滞の発生を予防することを特徴とする交通制御方法。
【請求項２】
地点Ｐからその下流にある交差点Ａに向かう車両に対して「交差点ノンストップ走行制御」を行うとともに、交差点Ａで信号待ちで停車している車両数を計測し、一定数以上の車両数を計測したときは、地点Ｐから交差点Ａに向けて「交差点ノンストップ走行制御」に従って走行してくる車両群が交差点Ａに到達する以前に前記信号待ちで停車している車両の交差点進入を終了させるよう、交差点Ａ信号機の青信号点灯時刻を早めることを特徴とする交通制御方法。
【発明の詳細な説明】
【技術分野】
【０００１】
本発明は、車両の交差点での信号待ち時間を低減する事によって、信号待ち時のアイドリングおよびその後の発進による燃料消費・汚染ガスの排出を削減するとともに交差点の安全な走行を可能にする「交差点ノンストップ走行制御システム」の特長を生かしつつその問題点を解決する新たな交通制御方法に関する。
【背景技術】
【０００２】
交差点での車両のスムースな通行の方策として、「交差点ノンストップ走行制御システム」がある。これは  交差点Ａにいたる道路上交差点Ａから一定距離Ｄ上流の地点Ｐにおいて、交差点Ａの信号状態情報、前記距離Ｄ情報、および地点Ｐから交差点Ａまでの間の許容最高走行速度Ｖmax情報、から車両が交差点Ａをノンストップで通過するための地点Ｐから交差点Ａまでの走行条件即ち推奨所要時間 topt および推奨走行速度 vopt を算出し、前記算出された推奨所要時間 topt および／あるいは推奨走行速度 vopt に基づいて車両を地点Ｐ−交差点Ａ間を走行させ交差点Ａをノンストップで通過させるものである（特許文献１、特許文献２）。
【０００３】
本システムにおいては、交通量が比較的少ない場合には期待される効果が充分発揮できるが、交通量が多くなると前記地点Ｐ−交差点Ａ間における車両走行速度の低減化等に起因する渋滞が発生する。
即ち、車両のスムースな走行を期待すべき「交差点ノンストップ走行制御システム」によって新たな渋滞原因が発生してしまうことになる。
【０００４】
一方交差点での信号待ちを減らす方策として、さらには交差点での停止、信号待ち、および発進、によるスムースな交通流の乱れが原因として発生する渋滞対策として、「プロファイル信号制御方式」が提案・実験されている。これは道路上にある車両感知器で車両の量や速度を計測しその結果に基づいて渋滞の予測を行い下流にある交差点の信号機をリアルタイムに且つ最適に制御しようとするものである（非特許文献１、非特許文献２）。
【０００５】
【特許文献１】特願２００４−２１２４４０
【特許文献２】特願２００５−０６３２１７
【非特許文献１】日本経済新聞２００５年９月１０日朝刊記事
【非特許文献２】田島昭幸・小林雅文著「次世代信号制御方式の開発と実証実験」ＳＥＩテクニカルレビュー・第１６６号
【発明の開示】
【発明が解決しようとする課題】
【０００６】
本発明は、前記「交差点ノンストップ走行制御システム」の特長を生かしつつ、その問題点を「交差点ノンストップ走行制御システム」に最適化した渋滞予測・信号制御方式によって解決した効果的な交通制御方法を提供しようとするものである。
【課題を解決するための手段】
【０００７】
交差点Ａの上流一定距離Ｄの地点Ｐから交差点Ａまでの間は、車両に「交差点ノンストップ走行制御システム」で走行させる。交通量が少ない場合は問題ないが交通量が増加すると、地点Ｐにおける走行速度変化、および走行時間幅が地点Ｐにおける信号周期１周期から交差点Ａにおける青信号時間幅に縮小すること、による渋滞が発生する。しかし地点Ｐから交差点Ａ間の交通流は「交差点ノンストップ走行制御」によって速度規制されていることから、その間の渋滞発生は地点Ｐ付近における交通量から容易に且つ比較的正確に予測することができる。従って地点Ｐ付近に車両感知器を設けて交通量を計測し渋滞発生の予兆を検知した場合には交差点Ａの信号機を地点Ｐ−交差点Ａ間における渋滞が解消するように制御する。
【０００８】
また「交差点ノンストップ走行制御システム」が正常に機能している場合は交差点Ａには赤信号で停止している車両は原則として存在しないはずであるが、地点Ｐ−交差点Ａ間道路に横道から入りこんで来る車両がある場合にはその車両は「交差点ノンストップ走行制御」に従っての走行を行っていないことから交差点で信号待ちとなる恐れがある。また「交差点ノンストップ走行制御」に従って走行している車両でも渋滞発生によって信号待ちとなる場合がある。この対策として前記信号待ち車両を交差点Ａ手前に設置した車両感知器で検知して、次の青信号時間に対して地点Ｐから「交差点ノンストップ走行制御」にしたがって走行してくる車両群が交差点Ａに到達する前に交差点Ａを通過させてしまうように信号機を制御する。
【０００９】
先ず、「交差点ノンストップ走行制御システム」の基本的考え方を図１を用いて説明する。
図１において、車両が通過すべき交差点Ａの信号状態情報を地点Ｐにおいて事前に獲得し、獲得した信号状態情報と交差点Ａ−地点Ｐ間距離Ｄ、交差点Ａ−地点Ｐ間の許容最高走行速度 Ｖmax 情報、から地点Ｐを通過する車両が交差点Ａを青信号の間に通過するための走行条件を地点Ｐを交差点Ａに向けて通過する車両毎にあるいは単位時間おきに演算し、それを通過車両個々に通報する。通報された車両は通報された走行条件で地点Ｐから交差点Ａまでの間走行する。
【００１０】
即ち、時刻 td ＝ tc−（Ｄ／Ｖmax）−Ｔp から時刻 te ＝ tc−（Ｄ／Ｖmax）の時間 Ｔp の間地点Ｐを交差点Ａ方向に通過する全車両を時刻 tb から時刻 tc の時間 Ｔg の間に交差点Ａを通過するように地点Ｐから交差点Ａ間の走行条件を車両に提示し車両はその条件のとおりに走行する。
【００１１】
ここで、図１における縦軸は交差点Ａからの上流側道路上距離Ｌであり、Ｌ＝０は交差点Ａの停止線位置、Ｌ＝Ｄは地点Ｐ位置である。また、横軸は時刻である。時刻 ta 、tb 、tc、は各々交差点Ａの車両進行方向の車両に対する交通信号が青→黄、赤→青、青→黄になる時刻である。すなわち ta 〜 tb は黄および赤信号の時間間隔Ｔn 、tb 〜 tc は青信号の時間間隔Ｔg、 ta 〜 tc は信号周期 Ｔp である。
現時刻 t が td ≦ t ＜ te のとき前記 ta 、tb 、tc 、Ｔn 、Ｔg 、Ｔp 、および現時刻 t が前記信号状態情報である。
【００１２】
信号１周期Ｔp 間に地点Ｐを通過する車両全てが交差点Ａの信号が青である時間間隔Ｔg の間に交差点Ａを通過することができれば交差点のノンストップ通過は実現できることになる。即ち地点Ｐを時刻 td 〜 te 間の信号１周期Ｔp 間に通過した車両は交差点Ａを時刻 tb 〜 tc の青信号Ｔg 間に通過することがノンストップ通過の条件となる。
【００１３】
地点Ｐ−交差点Ａ間を許容される最高速度即ち前記許容最高走行速度Ｖmax で走行する車両は地点Ｐを時刻 te に通過する車両であり、その車両の交差点Ａまでの所要時間は （tc−te）  即ち  Ｄ／Ｖmax  となる。
【００１４】
一方、時刻 td に地点Ｐを通過する車両は交差点Ａを時刻 tb に通過する必要がある。また地点Ｐ通過車両は交差点Ａに向けての走行に際しては地点Ｐ通過順序は変えないこととする。
以上の条件から走行条件即ち推奨所要時間 topt 、推奨走行速度 vopt を算出すると数１、数２の如くなる。但しここでの 現時刻 t は数３の条件を満足する必要がある。
【００１５】
(数１）
topt＝Ｄ／Ｖmax ＋（１−  (t−td)／Ｔp）Ｔn  
【００１６】
(数２) 
vopt＝Ｄ／topt ＝Ｄ／(Ｄ／Ｖmax＋（１−(t−td)／Ｔp）Ｔn)  
【００１７】
(数３) 
td ≦ t ＜ ( td＋Ｔp)＝te   
【００１８】
上記走行条件の具体的算出方法については、特許文献１、特許文献２に詳細に述べられているのでここでの説明は省略する。
以上、地点Ｐを時刻 td から時刻 te の時間 Ｔp 間に通過した車両 Ｃ0、Ｃ1、Ｃ2、Ｃ3、Ｃ4、・・、Ｃnは、地点Ｐにおいて提示された走行条件で、また地点Ｐの通過順序を守って、交差点Ａまで走行することによって交差点Ａには時刻 tb から時刻 tc の時間 Ｔg の間に到達し交差点Ａをノンストップで通過できることになる。
【００１９】
上記の如く車両の走行条件を制御して交差点Ａをノンストップで通過させるシステムが「交差点ノンストップ走行制御システム」である。
【００２０】
但し、上記数１、数２、数３において、
topt：交差点Ａを青信号で通過するための、地点Ｐから交差点Ａまでの推奨所要時間
vopt：交差点Ａを青信号で通過するための、地点Ｐから交差点Ａまでの推奨走行速度
Ｄ：地点Ｐから交差点までの距離
Ｖmax：地点Ｐから交差点Ａまで間の許容最高走行速度
Ｔn：黄信号および赤信号の時間間隔
Ｔg：青信号の時間間隔
Ｔp：交差点Ａ信号周期（＝Ｔn＋Ｔg）
t ：現時刻
である。
【００２１】
また現時刻 t が数３の範囲を超えた場合は、ta、tb、tc、td、teを各々１信号周期Ｔp 後のta、tb、tc、td、te とする。
【００２２】
上記「交差点ノンストップ走行制御システム」においては以下のごとき問題点がある。
即ち、図１からも明らかなように地点Ｐ−交差点Ａ間の車両の平均走行速度は地点Ｐより上流の自由走行状態の場合の平均走行速度に比べて低減する。また地点Ｐを信号周期 Ｔp 間に通過した車両全ては交差点Ａの青信号時間幅 Ｔg の間に交差点Ａに進入しなければならない。交通量が少ない場合には問題ないが交通量が多くなり、特にそれが交差点Ａの交通容量に近くなると、交差点Ａ付近から地点Ｐにかけて渋滞が発生する恐れが生じる。
【００２３】
又地点Ｐから交差点Ａにいたる「交差点ノンストップ走行制御システム」を適用している道路に横道から入り込んでくる車両も考えられる。これら車両は「交差点ノンストップ走行制御システム」に乗取っての走行はしていないことから交差点Ａでの信号待ちとなりこれもまた渋滞発生の原因となる。
【００２４】
これらの問題を以下の如く解決する。
即ち、交差点Ａ付近から地点Ｐ付近間の渋滞発生の可能性は、地点Ｐ付近に車両感知器を設置し地点Ｐ通過車両数を「交差点ノンストップ走行制御」における交差点Ａ信号周期である時刻 td から時刻 te の時間幅Ｔp の間毎に計測して検知する。地点Ｐ−交差点Ａ間は「交差点ノンストップ走行制御」が適用されていることから、前記によって計測された地点Ｐ通過車両数と渋滞発生の関係は明確でありかなり正確に予測できる。前記地点Ｐ通過車両数から渋滞発生の予兆を検知した場合は、図２に示す如く、交差点Ａの信号機の青信号時間幅Ｔg を青信号滅灯時刻 tc を時間幅Δtc 遅らせるかたちで延長する。
【００２５】
ここで青信号延長時間幅 Δtc は、地点Ｐ通過車両数に対応しての渋滞予兆を解消出来る時間幅とする。こうすることによって地点Ｐを時刻 td から te の時間幅Ｔp 間に通過した車両は交差点Ａ を従来の時刻 tb から tc の時間幅 Ｔg の間に代えて tb から tc' の時間幅 Ｔg＋Δtc の間に通過することになり渋滞の予兆解消が可能となる。
【００２６】
また、交差点Ａでの信号待ち車両の発生に対しては、信号手前に車両感知器を設け、一定数以上の信号待ち車両を検知した場合は、図３に示す如く、信号待ち車両数に対応して青信号点灯時刻 tb を tb'に Δtb 早め、この間に信号待ち車両に交差点を通過させる。この操作によって地点Ｐから「交差点ノンストップ走行制御」に従って推奨走行速度 vopt で走行してくる車両群が交差点Ａに到達するまでには前記信号待ち車両は交差点Ａ手前には無くなり、「交差点ノンストップ走行制御」に支障はなくなる。即ち信号待ち車両による渋滞の恐れは解消される。
【発明の効果】
【００２７】
以上本発明によって、「交差点ノンストップ走行制御システム」の持つ本来の交差点ノンストップ走行の効果を発揮しつつその問題点である渋滞発生の恐れも解消あるいは軽減することができる有効な交通制御システムが実現できることになる。
【発明を実施するための最良の形態】
【００２８】
交差点ノンストップ走行条件の路側から車側への通報に際しては既存の路車間通信システムの路側装置・車載装置を有効活用する。また交差点ノンストップ走行条件算出に際して必要な情報、特に交差点信号機の信号状態情報、が事前に正確に確実にシステムに提供できるよう信号機制御の系統化・統一化が必要である。
【実施例１】
【００２９】
図４に本発明による交通制御システムの概略構成例を示す。
図４において、
４０１は、交差点Ａにおける図４に示す車両進行方向に対する交通信号機、
４０２は、交差点Ａでの赤信号時信号待ち車両数を検知するための車両感知器Ａ、
４０３は、地点Ｐ付近での時刻 td 〜 te 間の通過車両数を検知する車両感知器Ｂ、
【００３０】
４０４は、車両感知器Ａ４０２の感知した交差点Ａでの赤信号時信号待ち車両数と車両感知器Ｂ４０３の感知した地点Ｐ付近の通過車両数を入力し、交通状況特に渋滞発生の可能性およびその程度を予測し信号機４０１に対する青信号時間幅 Ｔg の増減に関する制御信号を出力するとともに、走行条件演算装置４０５に対して信号状態情報を出力する信号制御装置、
【００３１】
４０５は、信号制御装置４０４出力である信号状態情報を入力し、予め設定されている地点Ｐ−交差点Ａ間距離Ｄと地点Ｐ−交差点Ａ間の許容最高走行速度Ｖmax および現時刻ｔから地点Ｐを交差点Ａ方向に通過する車両毎にその走行条件、即ち推奨走行時間 topt 、推奨走行速度 vopt を算出する走行条件演算装置、
【００３２】
４０６は、走行条件演算装置４０５出力である走行条件を地点Ｐを通過する車両に路車間通信で通報する路車間通信路側装置、
である。
【００３３】
地点Ｐを通過する車両は上記路車間通信路側装置４０６からの走行条件を路車間通信車側装置（図示せず）で受信し、受信した走行条件を表示出力あるいは音声出力として得て、あるいは受信した走行条件中の推奨走行速度 vopt を車両に搭載した自動速度制御装置の設定走行速度として入力して、その走行条件で交差点Ａまでの間を走行する。
【００３４】
ただし、地点Ｐまで自由走行してきた車両が地点Ｐからは「交差点ノンストップ走行制御」によって速度規制されること、その結果として地点Ｐを時刻 td から時刻 te の時間幅Ｔp の間に通過した車両は交差点Ａを時刻 tb から時刻 tc の時間幅Ｔg の間に通過しなければならないことから地点Ｐから交差点Ａ間において渋滞発生の恐れが生じる。
【００３５】
そこで車両感知器Ｂ４０３で計測した車両数を信号制御装置４０４に入力して前記渋滞の予兆およびその程度を予測し、渋滞発生の恐れがある場合は前記図２に示すように、青信号滅灯時刻を通常の tc から tc' にΔtc 間延長するように交通信号機４０１を制御する。但し前記延長時間幅Δtc は予測された渋滞の程度によって可変とする。この結果、交差点Ａの青信号時間幅がＴg からＴg ＋Δtc に拡大することから渋滞発生は事前に解消されスムースな「交差点ノンストップ走行制御」が保たれることになる。
【００３６】
また、地点Ｐ−交差点Ａ間に、この道路に横道等から流入する車両がある場合には、この車両は「交差点ノンストップ走行制御」に従っての走行はしていないことから、交差点において信号待ちとなる恐れがある。
【００３７】
これら交差点Ａでの信号待ち車両発生対策としては、交差点Ａ手前に設けた車両感知器Ａ４０２によって交差点Ａ手前での赤信号中の信号待ち車両を検知した場合には、車両感知器４０２からの入力によって信号制御装置４０４は図３に示す如く青信号点灯時刻 tb を Δtb 早めて tb' とし信号機４０１に指示する。この制御によって地点Ｐで時刻 tb 以降に交差点に到着するよう走行条件を提示された車両即ち「交差点ノンストップ走行制御」に従って交差点Ａに向けて走行してくる車両群が交差点Ａに到着する前に前記信号待ち車両を交差点に進入させることができ、この結果信号待ち車両の存在による渋滞発生の恐れが解消され正常な「交差点ノンストップ走行制御」が保たれる。
【産業上の利用可能性】
【００３８】
本発明によって、交差点ノンストップ走行制御システム、あるいはプロファイル信号制御方式を各々単独で適用した場合の交通制御に比べて各々のシステム・方式の効果が相乗的に拡大し、特に渋滞発生の回避に関しては効果的な交通制御が可能となる。
【図面の簡単な説明】
【００３９】
【図１】交差点ノンストップ走行制御システムの原理説明図
【図２】交差点ノンストップ走行制御システムにプロファイル信号制御方式を適用した場合の第１の原理説明図
【図３】交差点ノンストップ走行制御システムにプロファイル信号制御方式を適用した場合の第２の原理説明図
【図４】本発明によるシステム構成例  である。
【符号の説明】
【００４０】
図１、図２、図３において、
Ｃ0、Ｃ1、Ｃ2、Ｃ3、Ｃ4、・・、Ｃn：地点Ａを通過して交差点Ａに向かう車両
ta：青信号滅灯（黄信号点灯）時刻
tb：青信号点灯時刻
tc：青信号滅灯（黄信号点灯）時刻
tc'：＝tc＋Δtc  
Δtc：青信号滅灯遅延時間
【００４１】
td：＝tc −（Ｄ／Ｖmax)−Ｔp ＝ te −Ｔp  
te：＝tc − Ｄ／Ｖmax  
tb'：＝tb−Δtb  
Δtb：青信号点灯早め時間
t：時刻
【００４２】
Ｔg：青信号時
Ｔn：黄および赤信号時間
Ｔp：信号周期
Ｄ：地点Ｐ−交差点Ａ間距離
Ｖmax：許容最高走行速度
【００４３】
図４において、
４０１：交差点Ａ信号機
４０２：車両感知器Ａ
４０３：車両感知器Ｂ
４０４：信号制御装置
４０５：走行条件演算装置
４０６：路車間通信路側装置
である。
【図１】
2007140617.tif 000003
【図２】
2007140617.tif 000004
【図３】
2007140617.tif 000005
【図４】
2007140617.tif 000006